(57)【特許請求の範囲】
【請求項１】
ドライバビットやソケットビット等の出力軸を回転させる回転駆動軸を備えた電動工具であって、
前記回転駆動軸を具備する駆動モータと、該回転駆動軸と同方向に延びる軸を回転軸として回動し該駆動モータの回転駆動のオフ状態とオン状態を切り替える回動トリガを具備する駆動スイッチと、該駆動モータや該駆動スイッチを含む各種構成部品を内蔵しつつ該回動トリガを外部から操作可能とする開口部を形成したハウジングとを備え、
前記回動トリガは、前記ハウジングの前記開口部から外部に突出する連結用柱部と、該連結用柱部の外部に突出した部位と連接し前記ハウジングの外周面外側となる位置に存するように配設されて操作者の操作指にて回動操作される操作部とを備え、
前記ハウジングの前記開口部の大きさは、前記駆動スイッチがスイッチ機能として作動する回動範囲を前記連結用柱部が少なくとも移動できる範囲に亘る大きさに設定されており、
前記操作部は、操作者の操作指が面接触状態で操作可能な露出面積を有して形成されており、
該操作部の大きさは、前記駆動スイッチがスイッチ機能として作動する回動範囲の回動端位置に該操作部が存する場合に、前記ハウジングに形成された前記開口部の回動方向の一端を越えて前記ハウジングの外周面の少なくとも一部を覆う大きさに設定されており、
前記駆動スイッチは、前記駆動モータの回転駆動をオフ状態とする停止基準位置から離れていく前記回動トリガの回動操作にしたがって、該駆動モータの回転速度を増加させる旨の操作入力がされることを特徴とする電動工具。
【請求項２】
請求項１に記載の電動工具において、
前記操作部は、前記ハウジングの前記外周面の周方向全周に亘って形成されていることを特徴とする電動工具。
【請求項３】
請求項１または請求項２に記載の電動工具において、
前記操作部には、該操作部に操作指が面接触状態で接触した場合に、該操作指の該操作部に対する滑りを止めるように機能する滑り止め機能が付与されていることを特徴とする電動工具。
【発明の詳細な説明】
【技術分野】
【０００１】
本発明は、ドライバビットやソケットビット等の出力軸を回転させる回転駆動軸を備えた電動工具に関する。
【背景技術】
【０００２】
従来、回転駆動軸を具備する駆動モータを内蔵する電動工具が知られている。この電動工具は、この回転駆動軸から回転駆動力を受けて、ドライバビットやソケットビット等の出力軸を回転させる。
一方、この種の電動工具にあっては、片手で握って作業できるように、一般的に、ピストル形状となるように構成される。すなわち、この種の電動工具にあっては、下記特許文献１にて開示される電動工具のように、回転駆動軸を具備する駆動モータを内蔵する電動工具本体と、この電動工具本体に対して交差方向に延びるように配置可能なグリップ部とを備えるものが知られている。このように構成される電動工具によれば、使用時にグリップ部をピストルのグリップと同様に把持することができ、出力軸の回転を操作することができる。
他方、このように構成される電動工具にあっては、駆動モータの回転駆動を操作するための駆動スイッチが設けられている。この駆動スイッチは、グリップ部を握った手で操作可能とするために、このグリップ部をピストルのグリップのように握ることを想定して電動工具本体に対して位置決められて設けられている。
【先行技術文献】
【特許文献】
【０００３】
【特許文献１】特開２００８−５５５６３
【発明の概要】
【発明が解決しようとする課題】
【０００４】
しかしながら、上記した電動工具の駆動スイッチの操作手法としては、昨今、上記したようなピストルのグリップを握るようにして操作する操作手法に収まらず、個人的な嗜好や現場状況によって多様化する傾向にある。つまり、近年、電動工具のグリップ部の握り方が多様化しており、これに伴って駆動スイッチの操作手法も様々な態様で行われるようになってきている。
このため、単にグリップ部をピストルのグリップのように握ることを想定して駆動スイッチを配設していただけでは、このように多様化しつつある駆動スイッチの操作手法に対して、操作のし難い電動工具となってしまう。
【０００５】
本発明は、このような事情に鑑みなされたものであって、本発明が解決しようとする課題は、ドライバビットやソケットビット等の出力軸を回転させる回転駆動軸を備えた電動工具において、様々な握り態様でグリップ部が握られた場合であっても、駆動スイッチの操作を容易に行えるようにし、電動工具としての利便性を向上させることにある。
【課題を解決するための手段】
【０００６】
上記した課題を解決するにあたって、本発明に係る電動工具は、次の手段を採用する。
すなわち、本発明の第１の発明に係る電動工具は、ドライバビットやソケットビット等の出力軸を回転させる回転駆動軸を備えた電動工具であって、前記回転駆動軸を具備する駆動モータと、該回転駆動軸と同方向に延びる軸を回転軸として回動し該駆動モータの回転駆動のオフ状態とオン状態を切り替える回動トリガを具備する駆動スイッチと、該駆動モータや該駆動スイッチを含む各種構成部品を内蔵しつつ該回動トリガを外部から操作可能とする開口部を形成したハウジングとを備え、前記回動トリガは、前記ハウジングの前記開口部から外部に突出する連結用柱部と、該連結用柱部の外部に突出した部位と連接し前記ハウジングの外周面外側となる位置に存するように配設されて操作者の操作指にて回動操作される操作部とを備え、前記ハウジングの前記開口部の大きさは、前記駆動スイッチがスイッチ機能として作動する回動範囲を前記連結用柱部が少なくとも移動できる範囲に亘る大きさに設定されており、前記操作部は、操作者の操作指が面接触状態で操作可能な露出面積を有して形成されており、該操作部の大きさは、前記駆動スイッチがスイッチ機能として作動する回動範囲の回動端位置に該操作部が存する場合に、前記ハウジングに形成された前記開口部の回動方向の一端を越えて前記ハウジングの外周面の少なくとも一部を覆う大きさに設定されていることを特徴とする。
【０００７】
この第１の発明に係る電動工具によれば、回動トリガは開口部から外部に露出する操作部を備え、操作部は操作者の操作指が面接触状態で操作可能な露出面積を有して形成されているので、操作者は回動トリガを回動操作するにあたって、操作部を操作指にて面接触させることにより回動操作することができる。これによって、回動操作するにあたって操作指の配置位置を広い範囲に亘って設定することができる。
また、この第１の発明に係る電動工具によれば、回動トリガが回動範囲の回動端位置に存している場合でも、操作部は、ハウジングに形成された開口部の回動方向の一端を越えてハウジングの外周面の少なくとも一部を覆うこととなる。
これによって、回動トリガが回動範囲の回動端位置に存している場合でも、操作者は、操作部を触るにあたって、回動トリガの回動範囲を超えた位置においても操作部を触ることができる。このようにして、この第１の発明に係る電動工具によれば、操作者が様々な握り態様でグリップ部を握った場合でも、駆動スイッチの操作を容易に行えるようになり、電動工具としての利便性は向上する。
なお、操作指にて面接触される操作部としては、適宜の面形状を選択することができ、平面形状、曲面形状、加工面形状等の適宜の面形状が含まれる。
【０００８】
第２の発明に係る電動工具は、前記第１の発明に係る電動工具において、前記操作部は、前記ハウジングの前記外周面の周方向全周に亘って形成されていることを特徴とする。
この第２の発明に係る電動工具によれば、操作部は、ハウジングの外周面の周方向全周に亘って形成されているので、操作部は全周の何れの方向からでも面接触状態で操作指を接触させることができる。これによって、操作者が様々な握り態様でグリップ部を握った場合でも、駆動スイッチの操作を容易に行えるようになり、電動工具としての利便性は向上する。
【０００９】
第３の発明に係る電動工具は、前記第１または前記第２の発明に係る電動工具において、前記操作部には、該操作部に操作指が面接触状態で接触した場合に、該操作指の該操作部に対する滑りを止めるように機能する滑り止め機能が付与されていることを特徴とする。なお、この操作部の「滑り止め機能」を発揮する構成としては、操作部に対して面接触状態とした場合に、該操作部が「滑り止め機能」を発揮する例えば適宜の凹凸形状となる形状にて形成されたり、該操作部が「滑り止め機能」を発揮する例えば摩擦力が高い樹脂となる材料にて形成されたりするものが挙げられる。
この第３の発明に係る電動工具によれば、操作部には、操作部に操作指が面接触状態で接触した場合に、操作指の操作部に対する滑りを止めるように機能する滑り止め機能が付与されているので、操作者による回動トリガの回動操作を、より確実なものとすることができる。これによって、僅かな面接触状態であっても、回動トリガを確実に回動操作させることができて、電動工具としての利便性は向上する。
【発明の効果】
【００１０】
第１の発明に係る電動工具によれば、操作者が回動操作するにあたって、操作指は回動トリガの回動範囲を超えた更に広い範囲に亘って操作部として触ることができ、操作者が様々な握り態様でグリップ部を握った場合でも駆動スイッチの操作を容易に行えるようになり、電動工具としての利便性は向上する。
第２の発明に係る電動工具によれば、操作部は全周の何れの方向からでも面接触状態で操作指を接触させることができ、操作者が様々な握り態様でグリップ部を握った場合でも、駆動スイッチの操作を容易に行えるようになり、電動工具としての利便性は向上する。
第３の発明に係る電動工具によれば、操作者による回動トリガの回動操作を、より確実なものとすることができ、僅かな面接触状態であっても、回動トリガを確実に回動操作させることができて、電動工具としての利便性は向上する。
【図面の簡単な説明】
【００１１】
【図１】第１の実施形態となる電動工具を側面視した場合の外観を示す側面視外観図である。
【図２】図１の電動工具を上面視した場合の外観を示す上面視外観図である。
【図３】図１の電動工具の一部内部構造を示す側面視一部切欠き断面図である。
【図４】図１の電動工具の一部内部構造を示す上面視一部切欠き断面図である。
【図５】図３のＶ−Ｖ断面矢視にて図１の電動工具の内部構造を示す内部構造断面図である。
【図６】第２の実施形態となる電動工具を側面視した場合の外観を示す側面視外観図である。
【図７】図６のＶＩＩ−ＶＩＩ断面矢視にて図６の電動工具の内部構造を示す内部構造断面図である。
【図８】図７に示す内部構造において正回転駆動操作をした場合の電動工具の内部構造断面図である。
【図９】図７に示す内部構造において逆回転駆動操作をした場合の電動工具の内部構造断面図である。
【発明を実施するための形態】
【００１２】
［第１の実施の形態］
以下、本発明の電動工具を実施するための最良の形態の一つである第１の実施の形態について、図面を参照しながら説明する。
図１は、電動工具１０を側面視した場合の外観を示す側面視外観図である。図２は、電動工具１０を上面視した場合の外観を示す上面視外観図である。図３は、電動工具１０の側面視した状態で一部内部構造を示す側面視一部切欠き断面図である。図４は、電動工具１０の上面視した状態で一部内部構造を示す上面視一部切欠き断面図である。図５は、図３のＶ−Ｖ断面矢視にて電動工具１０の内部構造を示す内部構造断面図である。
この電動工具１０は、取替え可能に取り付けられたドライバビットやソケットビット等の出力軸１００（図示想像線）を回転させるものである。なお、このような出力軸１００は、電動工具１０の先端に設けられたチャック装置３７にて電動工具１０に取り付けられる。
なお、以下の説明においては、電動工具１０のほか電動工具１０を構成する各種構成部品について、出力軸１００が取り付けられている個所に近い側を先端側と規定して説明し、この先端側とは反対側となる出力軸１００が取り付けられている個所に遠い側を基端側と規定して説明している。特に電動工具１０を構成する電動工具本体２０においては、符号２０ａが電動工具本体２０の先端を示しており、符号２０ｂが電動工具本体２０の基端を示している。
電動工具１０は、図３および図４にも示すように、概略、出力軸１００を回転させる駆動モータ３０（回転駆動軸３３を具備する）等の各種構成部品を内蔵する電動工具本体２０と、この電動工具１０を使用する際に操作者が把持するグリップ部５０とを備える。これら電動工具本体２０とグリップ部５０とは、互いに軸支連結されるように構成される。このため、後に説明するが、これら電動工具本体２０とグリップ部５０とは、この軸支連結される個所を軸支点として長手方向に対して相対的に折り曲げ可能に構成されている。これにより、この電動工具１０は、電動工具本体２０とグリップ部５０との互いを交差方向に延びるように配置するピストル形状態の設定形態（図１に示す符号Ｐ１の設定形態）と、電動工具本体２０とグリップ部５０との互いを直列方向に延びるように配置するストレート形状態の設定形態（図１に示す符号Ｐ２の設定形態）とに、設定形態を変化させることができるようになっている。なお、この電動工具１０にあっては、一般的に、使用する際はピストル形状態の設定形態で使用し、収納する際はストレート形状態の設定形態で収納する。なお、以下の説明において図示される電動工具１０は、全てピストル形状態の設定形態のものを示している。
【００１３】
まず、グリップ部５０について説明する。
グリップ部５０は、電動工具１０を使用する際に操作者の手握りにより把持される部分であり、上記したように、ストレート形状態の設定形態から、ピストル形状態の設定形態に電動工具本体２０に対して変化可能に構成される。グリップ部５０は、図３に示すように、概略、グリップハウジング５１と、バッテリ具５２と、電気接続装置５３とを備える。
グリップハウジング５１は、後に説明するバッテリ具５２と電気接続装置５３とを内蔵することができるように基端５０ｂ側（図３で示す下端側）が開口した中空構造にて形成される。このグリップハウジング５１は、図２および図３に示すように、中空半割れ構造にて形成される２つのグリップハウジング片５１ａ，５１ｂを合体させることにより形成される。この基端５０ｂ側の開口した中空個所は、バッテリ具５２が取り付けられるバッテリ具収容部５１ｃとして形成される。また、グリップハウジング５１の先端５０ａ側の中空個所は、電気接続装置５３が収容される接続装置収容部５１ｄとして形成される。バッテリ具５２は、バッテリ具収容部５１ｃ内に挿入される電池パック５２ａと、この電池パック５２ａを支持しバッテリ具収容部５１ｃの開口を閉塞する閉塞蓋部５２ｂとを備える。これら電池パック５２ａと閉塞蓋部５２ｂとは互いに一体化されて形成されている。このため、電池パック５２ａをバッテリ具収容部５１ｃ内に収容すると、これと同時に閉塞蓋部５２ｂがバッテリ具収容部５１ｃの開口を閉塞し、バッテリ具５２はバッテリ具収容部５１ｃに装着されたものとなる。電気接続装置５３は、バッテリ具収容部５１ｃに装着されたバッテリ具５２からの電力を、電動工具本体２０（特に駆動モータ３０）に対して供給するために、これら間に介装される装置である。この電気接続装置５３は、このバッテリ具収容部５１ｃに隣接する接続装置収容部５１ｄに収容される。
ところで、グリップハウジング５１の外部形状としては、操作者が手で握り易いように、輪切り断面視が略楕円形状となっている。このグリップハウジング５１の先端５０ａ側（図３で示す上端側）は、詳細について図示していないが、電動工具本体２０に固定配設される支持軸２５を受ける軸受け構造が設けられている。この軸受け構造により、グリップ部５０は、先端５０ａ側が電動工具本体２０に固定配設される支持軸２５に回動可能に軸支連結され、ストレート形状態の設定形態からピストル形状態の設定形態に電動工具本体２０に対して変化可能に回動する。
【００１４】
このグリップ部５０は、操作者に手握りされて作業が行われるに際して、出力軸１００が作業個所に対して効率良く押し当てられるように、回転駆動軸３３が延びる軸線上に握り手が存するように外部形状が形成されている。なお、回転駆動軸３３は、後にも説明するが、出力軸１００の回転軸線と同軸上で延びるように配設される。
具体的には、図１および図３に示すように、ピストル形状態の設定形態となっている場合において、グリップ部５０のグリップハウジング５１の先端５０ａ側（図３で示す上端側）のうち回転駆動軸３３が延びる軸線上に当たる電動工具本体２０の隣接部分には、出力軸１００に向かって凹状をなす凹状部５４が形成されている。この凹状部５４は、操作者がグリップ部５０を把持した場合に、操作者の親指付け根と人差し指付け根との間の部分が嵌り込むことを想定して形成される。このため、この凹状部５４に親指付け根と人差し指付け根との間の部分を嵌め込めて出力軸１００が存する向きに力を加えると、出力軸１００に対してブレ無く握り手の押し当て力を加えることができる。なお、図３に示すように、電動工具本体２０に固定配設される支持軸２５は、グリップ部５０の凹状部５４とともに回転駆動軸３３が延びる軸線上に配置されており、グリップ部５０の握り手からの力を出力軸１００の存する方向へ押し当て力に変換され易いようになっている。このように電動工具１０は、出力軸１００に対して効率が良く押し当て力を加えることができるようになっており、作業性に優れたものとなっている。
また、このグリップ部５０には、グリップ部５０が安定してピストル形状態の設定形態となるように、後に説明する電動工具本体２０の連結部２４（膨らみ部２４ａ）に対して嵌り合うための構造（凹み部５９）が設けられている。
【００１５】
次に、電動工具本体２０について説明する。
電動工具本体２０は、概略、中空長筒状に形成されたハウジング２１と、このハウジング２１内に装置される各種構成部品とを備える。ハウジング２１は、中空半割れ構造にて形成される２つのハウジング片２１ａ，２１ｂを合体させることにより形成される。また、このハウジング２１内に装置される各種構成部品としては、駆動モータ３０、回転駆動機構３５、駆動スイッチ４０が含まれる。具体的には、ハウジング２１の略中間部に駆動モータ３０が装置されており、この駆動モータ３０の先端側範囲には回転駆動機構３５が装置されており、この駆動モータ３０の基端側範囲には駆動スイッチ４０が装置されている。
ハウジング２１は、図１および図２に示すように、電動工具本体２０のうち駆動スイッチ４０が配設される個所を除き、電動工具本体２０の外装をなすように形成されている。具体的には、ハウジング２１のうち先端２０ａ側から略中間部２０ｃまでの範囲は、このハウジング２１が電動工具本体２０の外装をなすように、ハウジング２１は電動工具本体２０の最外周に存するように形成されている。これに対して、ハウジング２１のうち駆動スイッチ４０が配設される基端２０ｂ側の範囲は、駆動スイッチ４０自身が最外周に存するように形成されている。つまり、後に説明する駆動スイッチ４０の回動トリガ４４は、ハウジング２１より外周側に存するように配設されている。このため、この駆動スイッチ４０が配設される個所のハウジング２１は、先端２０ａ側から略中間部２０ｃまで外装をなすハウジング２１から、内側に一段入り込むように段差形状（図３に示す符号２６）が設けられて形成されている。このように、ハウジング２１のうち駆動スイッチ４０が配設される基端２０ｂ側の範囲のハウジング２１の外周径は、先端２０ａ側から中間部位までの範囲のハウジング２１の外周径に比して、縮められた外周径に設定されて形成されている。これにより、後に説明する回動トリガ４４の操作部４７は、駆動スイッチ４０が配設される基端２０ｂ側のハウジング２１の外周面２１ｃを覆う大きさを有することとなる。
なお、ハウジング２１のうち、駆動スイッチ４０が配設される基端側の範囲から更に基端側となる最基端２０ｂには、電動工具本体２０に対して上記したグリップ部５０を回動可動に軸支連結するための連結部２４が設けられている。この連結部２４には、グリップ部５０の回動方向と交差する方向に延在する支持軸２５が固定配設されている。また、この連結部２４には、グリップ部５０が安定してピストル形状態の設定形態となるように、このグリップ部５０（凹み部５９）に対する嵌め合い構造（膨らみ部２４ａ）が設けられている。また、図１における符号２９は、回動トリガ４４の操作に対する出力軸１００の正逆回転の方向について簡略的に示す目印である。
また、図５にも示すように、駆動スイッチ４０が配設される基端２０ｂ側の範囲のハウジング２１は、左右１８０度対称位置に開口形状が形成されている。具体的には、基端２０ｂ側の範囲のハウジング２１の左右両側方には、互いに略矩形の形状にて切り欠かれた左開口部２２および右開口部２３が設けられている。これら左開口部２２および右開口部２３は、両方ともに、後に説明する駆動スイッチ４０の回動トリガ４４を外部から操作可能とするためにハウジング２１に設けられるものである。
この左開口部２２および右開口部２３の大きさとしては、後に説明する回動トリガ４４の連結用柱部４５（４５ａ，４５ｂ）が、少なくとも確実に移動できる範囲に亘る大きさにて形成されるものである。つまり、この左開口部２２および右開口部２３の大きさとしては、回動トリガ４４が回動範囲の何れの回動端位置まで回動させられても、左開口部２２および右開口部２３が回動トリガ４４の連結用柱部４５（４５ａ，４５ｂ）の移動を妨げないように形成されている。
ここで、回動トリガ４４の連結用柱部４５（４５ａ，４５ｂ）の移動を妨げないこととは、駆動スイッチ４０のスイッチ機能として作動する回動範囲が妨げ無く確保されることを意味しており、具体的には、回動トリガ４４の回動にしたがって連結用柱部４５（４５ａ，４５ｂ）を確実に移動させることができることを意味している。このため、左開口部２２および右開口部２３の具体的な大きさとしては、駆動スイッチ４０がスイッチ機能として作動する回動トリガ４４の回動範囲に応じて移動する連結用柱部４５（４５ａ，４５ｂ）の移動範囲（後に説明するスイッチ本体４１に設けられる回動孔４２，４３の範囲に相当する）よりも、遊び量を考慮して僅かに大きい範囲に亘る大きさに設定されて形成されている。なお、回動トリガ４４の回動範囲の回動端位置は、回動孔４２，４３の回動方向内端４２ａ，４２ｂ，４３ａ，４３ｂに対して、連結用柱部４５（４５ａ，４５ｂ）が当接状態となる位置に相当する。
【００１６】
駆動モータ３０は、回転駆動力を発生する駆動モータ本体３１と、この駆動モータ本体３１にて発生した回転駆動力にて回転駆動する回転駆動軸３３とを備える。駆動モータ本体３１は、適宜の電動モータである。回転駆動軸３３は、ハウジング２１の長筒中心軸線上に沿って駆動モータ本体３１に設けられている、この回転駆動軸３３は、上記した出力軸１００を回転させるために、次に説明する回転駆動機構３５に回転駆動力を伝達するように連結されている。このため、回転駆動軸３３は、電動工具本体２０先端側に向かう方向に駆動モータ本体３１から突出している。
回転駆動機構３５は、詳細を図示しないが、回転駆動軸３３の回転駆動を減速させる減速機構と、回転駆動軸３３の回転駆動により出力軸１００に回転打撃効果を与える打撃発生機構とを備える。なお、この回転駆動機構３５の先端側には、上記した出力軸１００を取り付けるために、出力軸１００を締結するチャック装置３７が設けられている。このように回転駆動機構３５は、回転駆動軸３３から回転駆動を受け、チャック装置３７にて取り付けられた出力軸１００を、回転打撃効果を与えながら回転させることができる。
駆動スイッチ４０は、上記した駆動モータ３０の回転駆動状態を切り替えるものである。駆動スイッチ４０は、駆動モータ３０の回転駆動状態を切り替えるスイッチ本体４１と、このスイッチ本体４１に対して入力操作を行う回動トリガ４４とを備える。なお、この駆動スイッチ４０の基端側には、上記した電気接続装置５３からの配線が接続される素子ケース４９が設けられている。この素子ケース４９は、上記した駆動モータ３０の回転を制御するＦＥＴ（field-effect transistor）や、このＦＥＴを保護するダイオード等を備え、スイッチ本体４１に対して電気的に接続されている。
スイッチ本体４１は、駆動モータ３０に対しても電気的に接続されており、回動トリガ４４の入力操作に応じて、電気接続装置５３および素子ケース４９を介してバッテリ具５２から駆動モータ３０に電力を供給する。
回動トリガ４４は、このスイッチ本体４１の外周個所に配設されるものであり、上記した回転駆動軸３３と同方向に延びる軸を回転軸として、スイッチ本体４１に支持された状態で回動可能に設けられる。この回動トリガ４４は、このスイッチ本体４１に対する相対的な回動位置に応じて、スイッチ本体４１から支持される連結用柱部４５（４５ａ，４５ｂ）によりスイッチ本体４１に操作入力するものである。このため、図３に示すように、スイッチ本体４１には、スイッチ本体４１の内部から回動径方向外側に連結用柱部４５（４５ａ，４５ｂ）を突出させるための回動孔４２，４３が設けられている。この回動孔４２，４３は、回動トリガ４４の回動方向に延びる長孔にて形成されている。この長孔の延びる範囲は、回動トリガ４４が回動して連結用柱部４５（４５ａ，４５ｂ）によりスイッチ本体４１に適宜操作入力され、駆動スイッチ４０がスイッチ機能として作動する回動範囲と一致する。なお、この操作入力には、スイッチ本体４１に対して、駆動モータ３０をオフ状態とする操作入力、駆動モータ３０をオン状態とする操作入力、駆動モータ３０の回転駆動速度を速めたり遅めたりする操作入力等が含まれる。このため、この回動孔４２，４３の回動方向内端４２ａ，４２ｂ，４３ａ，４３ｂは、駆動スイッチ４０がスイッチ機能として作動する回動範囲の回動端位置に相当することとなる。つまり、駆動スイッチ４０がスイッチ機能として作動する回動範囲の回動端位置に回動トリガ４４が存する場合には、この回動トリガ４４の一部を構成する連結用柱部４５（４５ａ，４５ｂ）は回動孔４２，４３の回動方向内端４２ａ，４２ｂ，４３ａ，４３ｂに当接状態で位置する。
【００１７】
次に、上記した回動トリガ４４について、さらに詳細に説明する。
回動トリガ４４は、概略、スイッチ本体４１に対して入力操作を行うにあたりスイッチ本体４１に対して連結される連結用柱部４５（４５ａ，４５ｂ）と、操作者の操作指にて回動操作される操作部４７とを備える。
連結用柱部４５（４５ａ，４５ｂ）は、回動トリガ４４のうち上記したようにスイッチ本体４１と連結される部分であり、スイッチ本体４１の内部から回動孔４２，４３を抜けて回動径方向外側に突出している。この連結用柱部４５（４５ａ，４５ｂ）は、上記したように、回動トリガ４４自身をスイッチ本体４１から支持する機能と、スイッチ本体４１に対する回動トリガ４４の相対的な回動位置にしたがってスイッチ本体４１に操作入力する機能とを有する。このため、連結用柱部４５（４５ａ，４５ｂ）は、上記したように回動トリガ４４の回動にしたがって回動孔４２，４３内を移動可能に設けられている。
ここで、連結用柱部４５（４５ａ，４５ｂ）が回動孔４２，４３内の中間位置に存している場合の回動トリガ４４は、駆動モータ３０への電力供給をオフとする停止基準位置に位置するものとされている。すなわち、回動トリガ４４を停止基準位置から右回転させた場合には、図３に示す連結用柱部４５ａは図示上方に移動して（反対側の図には見えない連結用柱部４５ｂは図示下方に移動して）スイッチ本体４１に操作入力する。そうすると、スイッチ本体４１は、駆動モータ３０を正回転駆動の制御をする。これに対して、回動トリガ４４が停止基準位置から左回転させた場合には、図３に示す連結用柱部４５ａは図示下方に移動して（反対側の図には見えない連結用柱部４５ｂは図示上方に移動して）スイッチ本体４１に操作入力する、そうすると、スイッチ本体４１は、駆動モータ３０を逆回転駆動の制御をする。なお、回動トリガ４４は、停止基準位置から離れていくにしたがって、駆動モータ３０の回転速度を増加させるように制御をする。
【００１８】
ところで、連結用柱部４５（４５ａ，４５ｂ）の内側端４５ｃ，４５ｃは、上記したようにスイッチ本体４１に連接されたものとなっているが、連結用柱部４５ａ，４５ｂの外側端４５ｄ，４５ｄは、図４および図５に示すように、ハウジング２１に設けられる左開口部２２および右開口部２３から外部に突出し、次に説明する操作部４７に連接されている。
操作部４７は、操作者の操作指にて回動操作されるように、連結用柱部４５ａ，４５ｂの外側端４５ｄ，４５ｄを含む左開口部２２および右開口部２３より外部に突出した部位と連接して形成され、外部に露出している。操作部４７は、ハウジング２１の外周より外側となる位置に存するように配設されており、操作者の操作指が面接触状態で操作可能な露出面積を有して形成されている。具体的には、操作部４７は、駆動スイッチ４０が配設される個所のハウジング２１の全周を覆うように、ハウジング２１の外周面２１ｃの周方向全周に亘って覆う環状に形成されている。操作部４７は、全周に亘って外部に露出する周面状曲面にて形成されている。この操作部４７は、電動工具本体２０のうち、上記したグリップ部５０を手握りした握り手にて操作できる位置にて配設されている。ここで、この操作部４７の外周面４７ａには、少なくとも握り手の操作指の指の腹で面接触できる程度の幅を有して形成されている。また、この操作部４７の外周面４７ａは、基端側から先端側に向かうにしたがって滑らかに外径が拡がるように傾斜する形状を有して形成されている。
また、図１および図２に示すように、操作部４７には、操作部４７に操作指が面接触状態で接触している場合に、操作指の操作部４７に対する滑りを止めるように機能する滑り止め機能が付与されている。具体的には、操作部４７は、接触する操作指の滑りが止められる合成樹脂材料にて形成されている。この合成樹脂材料としては、例えば、一般的に広く用いられるグリップ性の高いゴム樹脂である。また、図１および図２に示すように、この操作部４７の外周面４７ａの表面には、細かい凹み部４７ｂが多数形成されている。この細かい凹み部４７ｂは、操作部４７に操作指が面接触状態で接触している場合に、操作指の滑りを止める機能を高めるために設けられるものである。
また、図４に示すように、操作部４７の内周面４７ｃの基端側には、内方に突出して内蔵されるスイッチ本体４１の外周面と摺接する内リブ４７ｄが設けられている。この内リブ４７ｄは、操作部４７が回動するにあたり、ハウジング２１内部に装置されるスイッチ本体４１の外周面に摺接するようにして、操作部４７の回動をガイドするように機能する。このようにして、操作部４７は、ハウジング２１に対して滑らかに且つ安定的に回動させることができる。
【００１９】
以上のように構成された第１の実施の形態の電動工具１０によれば、次のような作用効果を奏することができる。
すなわち、この電動工具１０によれば、回動トリガ４４は左開口部２２および右開口部２３から外部に露出する操作部４７を備え、操作部４７は操作者の操作指が面接触状態で操作可能な外部露出面積を有して形成されているので、操作者は回動トリガ４４を回動操作するにあたって、操作部４７の外周面４７ａを操作指にて面接触させることにより回動操作することができる。これによって、回動操作するにあたって操作指の配置位置を広い範囲に亘って設定することができる。
ここで、この電動工具１０によれば、回動トリガ４４が回動範囲の回動端位置に存するように、例えば連結用柱部４５（４５ａ，４５ｂ）が回動孔４２，４３の回動方向内端４２ａ，４３ａ（４２ｂ，４３ｂ）に対して当接状態となる位置に存する場合でも、操作部４７はハウジング２１の外周面の周方向全周に亘って形成されているので、操作部４７は全周の何れの方向からでも面接触状態で操作指を接触させることができる。
これによって、回動トリガ４４が回動範囲の回動端位置に存している場合でも、操作者は、操作部４７を触るにあたって、回動トリガ４４の回動範囲を超えた位置においても操作部４７を触ることができる。このようにして、この電動工具１０によれば、操作者が様々な握り態様でグリップ部５０を握った場合でも、駆動スイッチ４０の操作を容易に行えるようになり、電動工具１０としての利便性は向上する。
また、この電動工具１０によれば、操作部４７には、操作部４７に操作指が面接触状態で接触した場合に、操作指の操作部４７に対する滑りを止めるように機能する滑り止め機能が付与されているので、操作者による回動トリガ４４の回動操作を、より確実なものとすることができる。これによって、僅かな面接触状態であっても、回動トリガ４４を確実に回動操作させることができて、電動工具１０としての利便性は向上する。
【００２０】
［第２の実施の形態］
次に、上記した第１の実施の形態とは異なる第２の実施の形態の電動工具１０Ａについて説明する。
図６は、第２の実施形態となる電動工具１０Ａを側面視した場合の外観を示す側面視外観図である。図７は、図６のＶＩＩ−ＶＩＩ断面矢視にて図６の電動工具１０の内部構造を示す内部構造断面図である。図８は、図７に示す内部構造において正回転駆動操作をした場合の電動工具１０Ａの内部構造断面図である。図９は、図７に示す内部構造において逆回転駆動操作をした場合の電動工具１０Ａの内部構造断面図である。
なお、第２の実施の形態の電動工具１０Ａは、上記した第１の実施の形態の電動工具１０と比較して、ハウジング６１（電動工具本体６０）の構成、駆動スイッチ８０の構成、さらに手締めロック機構９０が設けられている点で相違するものとなっている。このため、以下に説明する第２の実施の形態の電動工具１０Ａは、ハウジング６１（電動工具本体６０）の構成、駆動スイッチ８０の構成、手締めロック機構９０の構成について重点的に説明し、上記した第１の実施の形態の電動工具１０と同一に構成される個所については、同一の符号を付して説明を省略する。
また、上記した第１の実施の形態の電動工具１０と同様、以下の説明においては、電動工具１０のほか電動工具１０Ａを構成する各種構成部品について、出力軸１００が取り付けられている個所に近い側を先端側と規定して説明し、この先端側とは反対側となる出力軸１００が取り付けられている個所に遠い側を基端側と規定して説明している。特に電動工具１０Ａを構成する電動工具本体６０においては、符号６０ａが電動工具本体６０の先端を示しており、符号６０ｂが電動工具本体６０の基端を示している。
【００２１】
まず、ハウジング６１（電動工具本体６０）の構成について説明する。
図６に示すように、電動工具１０Ａは、上記した第１の実施の形態の電動工具１０と同様、概略、中空長筒状に形成されたハウジング６１と、このハウジング６１内に装置される各種構成部品とを備える。ハウジング６１は、図７にも示すように、中空半割れ構造にて形成される２つのハウジング片６１ａ，６１ｂを合体させることにより形成される。
ハウジング６１は、電動工具本体６０の先端６０ａから電動工具本体６０の基端６０ｂまで、電動工具本体６０の外装をなすように形成されている。具体的には、駆動スイッチ８０が配設される基端６０ｂ側の範囲のハウジング６１の一部を除き、ハウジング６１は電動工具本体６０の最外周に存するように形成されている。なお、後に説明する駆動スイッチ８０の回動トリガ８４は、ハウジング６１より外周側に存するように配設されている。
図７に示すように、駆動スイッチ８０が配設される基端６０ｂ側の範囲のハウジング６１は、左右１８０度対称位置に開口形状が形成されている。具体的には、基端６０ｂ側の範囲のハウジング６１の左右両側方には、互いに略矩形の形状にて切り欠かれた左開口部６２および右開口部６３が設けられている。これら左開口部６２および右開口部６３は、両方ともに、後に説明する駆動スイッチ８０の回動トリガ８４を外部から操作可能とするためにハウジング６１に設けられるものである。
この左開口部６２および右開口部６３の大きさとしては、後に説明する回動トリガ８４の連結用柱部８５（８５ａ，８５ｂ）が、少なくとも確実に移動できる範囲に亘る大きさにて形成されるものである。つまり、この左開口部６２および右開口部６３の大きさとしては、回動トリガ８４が回動範囲の何れの回動端位置まで回動させられても、左開口部６２および右開口部６３が回動トリガ８４の連結用柱部８５（８５ａ，８５ｂ）の移動を妨げないように形成されている。
ここで、回動トリガ８４の連結用柱部８５（８５ａ，８５ｂ）の移動を妨げないこととは、駆動スイッチ８０のスイッチ機能として作動する回動範囲が妨げ無く確保されることを意味しており、具体的には、回動トリガ８４の回動にしたがって連結用柱部８５（８５ａ，８５ｂ）を確実に移動させることができることを意味している。このため、左開口部６２および右開口部６３の具体的な大きさとしては、駆動スイッチ８０がスイッチ機能として作動する回動トリガ８４の回動範囲に応じて移動する連結用柱部８５（８５ａ，８５ｂ）の移動範囲（スイッチ本体８１内に具備されるスイッチ機構にて設定される）よりも、遊び量を考慮して僅かに大きい範囲に亘る大きさに設定されて形成されている。なお、回動トリガ８４の回動範囲の回動端位置は、詳しく図示していないが、スイッチ本体８１内に具備されるスイッチ機構にて設定される。なお、この第２の実施の形態の電動工具１０Ａの回動トリガ８４は、第１の実施の形態の電動工具１０の回動トリガ４４と相違する構成である。このため、第１の実施の形態の電動工具１０において設けられていた回動孔４２，４３は、この第２の実施の形態の電動工具１０Ａにおいては設けられていない。
駆動スイッチ８０は、上記した第１の実施の形態の駆動スイッチ４０と同様、駆動モータ３０の回転駆動状態を切り替えるものである。駆動スイッチ８０は、駆動モータ３０の回転駆動状態を切り替えるスイッチ本体８１と、このスイッチ本体８１に対して入力操作を行う回動トリガ８４とを備える。スイッチ本体８１は、駆動モータ３０に対しても電気的に接続されており、回動トリガ８４の入力操作に応じて、電気接続装置５３および素子ケース４９を介してバッテリ具５２から駆動モータ３０に電力を供給する。
回動トリガ８４は、図７に示すように、このスイッチ本体８１の外周個所に配設されるものであり、上記した回転駆動軸３３と同方向に延びる軸を回転軸として、スイッチ本体８１に支持された状態で回動可能に設けられる。この回動トリガ８４は、このスイッチ本体８１に対する相対的な回動位置に応じて、図示されていない回動位置入力軸にてスイッチ本体８１に操作入力するものである。なお、この操作入力は、上記した第１の実施の形態の電動工具１０と同様、駆動スイッチ８０がスイッチ機能として作動する回動範囲内にて可能となっている。
【００２２】
次に、上記した回動トリガ８４について、さらに詳細に説明する。
回動トリガ８４は、概略、スイッチ本体８１に対して入力操作を行う回動位置入力軸（不図示）を具備する環状基部８４ａと、この環状基部８４ａから回動径方向外側に突出する連結用柱部８５（８５ａ，８５ｂ）と、この連結用柱部８５（８５ａ，８５ｂ）と連接され操作者の操作指にて回動操作される操作部８７，８８とを、一体化させた状態で構成される。
環状基部８４ａは、上記したようにスイッチ本体８１に対して入力操作を行う回動位置入力軸を具備するするとともに、回動トリガ８４の回動をガイドする機能を有する。連結用柱部８５（８５ａ，８５ｂ）は、内側部分８５ｃ，８５ｃが環状基部８４ａに連接され、外側部分８５ｄ，８５ｄは、ハウジング６１に設けられる左開口部６２および右開口部６３から外部に突出している。この連結用柱部８５（８５ａ，８５ｂ）は、電動工具本体６０長さ方向に延びるように形成されている。この連結用柱部８５（８５ａ，８５ｂ）の外側部分８５ｄ，８５ｄは、操作部８７，８８に連接されている。操作部８７，８８は、操作者の操作指にて回動操作されるように、連結用柱部８５ａ，８５ｂの外側部分８５ｄを含む左開口部６２および右開口部６３より外部に突出した部位と連接して形成され、外部に露出している。操作部８７，８８は、ハウジング６１の外周より外側となる位置に存するように配設されており、操作者の操作指が面接触状態で操作可能な露出面積を有して形成されている。
具体的には、操作部８７，８８は、電動工具本体６０のうち、上記したグリップ部５０を手握りした握り手にて操作できる位置にて配設されている。操作部８７，８８は、外周面８７ａ，８８ａが内側に凹とする略板状に形成されている。また、この操作部８７，８８の幅のうち回動方向に延びる幅は、連結用柱部８５の回動方向に延びる幅よりも拡大した幅を有して形成されている。操作部８７，８８の外周面８７ａ，８８ａは、回動径方向内側に凹をなす凹曲面形状にて形成されている。言い換えれば、外周面８７ａ，８８ａのうち回動方向の縁８７ｂ，８８ｂは、中央部位に比して外側に張り出すように形成されている。このため、操作部８７，８８に操作指を引掛けて回動方向に移動させる場合に、操作指は操作部８７，８８に対して引っ掛かり易くなる。
ここで、この操作部８７，８８は、図８および図９に示すように、回動操作してスイッチ本体８１内に具備されるスイッチ機構にて設定される回動範囲の回動端位置に回動トリガ８４が存している場合には、左開口部６２および右開口部６３の回動方向の一端６２ａ，６３ａ（６２ｂ，６３ｂ）を越えて、ハウジング６１の外周面６１ｃの一部を覆うようになっている。
すなわち、回動トリガ８４を停止基準位置から右回転させた場合には、図８に示す連結用柱部８５ａは図示上方に移動して（反対側の連結用柱部８５ｂは図示下方に移動して）スイッチ本体８１に操作入力する。そうすると、スイッチ本体８１は、駆動モータ３０を正回転駆動の制御をする。これに対して、回動トリガ８４が停止基準位置から左回転させた場合には、図９に示す連結用柱部８５ａは図示下方に移動して（反対側の連結用柱部８５ｂは図示上方に移動して）スイッチ本体８１に操作入力する、そうすると、スイッチ本体８１は、駆動モータ３０を逆回転駆動の制御をする。
ここで、図８および図９に示す回動トリガ８４は、双方共に、スイッチ本体８１内に具備されるスイッチ機構にて設定される回動範囲の回動端位置に位置したものである。このため、回動トリガ８４が右回転させる回動端位置に位置している場合には、操作部８７，８８は、左開口部６２および右開口部６３の回動方向の一端６２ａ，６３ａを越えて、ハウジング６１の外周面６１ｃの一部を覆うようになっている。これに対して、回動トリガ８４が左回転させる回動端位置に位置している場合には、操作部８７，８８は、左開口部６２および右開口部６３の回動方向の一端６２ｂ，６３ｂを越えて、ハウジング６１の外周面６１ｃの一部を覆うようになっている。
また、操作部８７，８８は、この操作部８７，８８の外周面８７ａ，８８ａに操作指が面接触状態で接触している場合に、操作指の操作部８７，８８に対する滑りを止めるように機能する滑り止め機能が付与されている。具体的には、この操作部８７，８８の外周面８７ａ，８８ａには、図示するように、回動トリガ８４の回動操作方向と交差する方向に延びる凹溝８７ｃ，８８ｃが複数形成されている。この凹溝８７ｃ，８８ｃは、操作部８７，８８に操作指が面接触状態で接触している場合に、操作指の滑りを止める機能を高めるために設けられるものである。
【００２３】
以上のように構成された第２の実施の形態の電動工具１０Ａによれば、次のような作用効果を奏することができる。
すなわち、この電動工具１０Ａによれば、回動トリガ８４は左開口部６２および右開口部６３から外部に露出する操作部８７，８８を備え、操作部８７，８８は操作者の操作指が面接触状態で操作可能な外部露出面積を有して形成されているので、操作者は回動トリガ８４を回動操作するにあたって、操作部８７，８８の外周面８７ａ，８８ａを操作指にて面接触させることにより回動操作することができる。これによって、回動操作するにあたって操作指の配置位置を広い範囲に亘って設定することができる。
ここで、この電動工具１０Ａによれば、回動トリガ８４が回動範囲の回動端位置に存している場合には、図８および図９に示すように、操作部８７，８８は、ハウジング６１に形成された左開口部６２および右開口部６３の回動方向の一端６２ａ，６３ａ（６２ｂ，６３ｂ）を越えてハウジング６１の外周面６１ｃの一部を覆うこととなる。これによって、操作者が回動操作するにあたって、操作指は、回動トリガ８４の回動範囲を超えた更に広い範囲に亘って操作部８７，８８として触ることができる。このようにして、この電動工具１０Ａによれば、操作者が様々な握り態様でグリップ部５０を握った場合でも、駆動スイッチ８０の操作を容易に行えるようになり、電動工具１０Ａとしての利便性は向上する。
また、この電動工具１０Ａによれば、操作部８７，８８の外周面８７ａ，８８ａには、回動トリガ８４の回動操作方向と交差する方向に延びる凹溝８７ｃ，８８ｃが複数形成されているので、操作部８７，８８に操作指を面接触状態で接触させて操作部８７，８８を回動操作方向に回動させる場合に、この凹溝８７ｃ，８８ｃに操作指の腹部分が引っ掛かり易くなり、操作指の滑りを止める機能を高めることができる。これによって、回動トリガ４４を確実に回動操作させることができて、電動工具１０としての利便性は向上する。
【００２４】
なお、本発明に係る電動工具にあっては、上記した実施の形態に限定されるものではなく、本発明の要旨を変更しない範囲で適宜に変更することができる。
すなわち、上記した実施の形態における電動工具１０，１０Ａの操作部４７，８７，８８の形状にあっては、環状や略板状に形成されるものであった。しかしながら、本発明に係る電動工具の操作部の形状としては、上記した実施の形態の例に限定されることなく、例えば環状を一部切り欠いたり或いは略板状を拡大したりするものであってもよく、適宜の形状や大きさを選択することができる。また、本発明に係る電動工具の操作部の数としても、上記した実施の形態の例に限定されることなく、例えば３つや４つ或いは一部連結させて形成されるものであってもよく、適宜の数を選択することができる。ただ、この際は、ハウジングの開口部を、適宜の数が選択されて設けられる操作部に対応したものとすることを要する。
【符号の説明】
【００２５】
１０，１０Ａ  電動工具
２０，６０  電動工具本体
２０ａ，６０ａ  電動工具本体の先端
２０ｂ，６０ｂ  電動工具本体の基端
２０ｃ  電動工具本体の略中間部
２１，６１  ハウジング
２１ａ，２１ｂ，６１ａ，６１ｂ  ハウジング片
２１ｃ，６１ｃ  ハウジングの外周面
２２，６２  左開口部
２３，６３  右開口部
２４  連結部
２４ａ  膨らみ部
２５  支持軸
２６  段差
２９  操作方向目印
３０  駆動モータ
３１  駆動モータ本体
３３  回転駆動軸
３５  回転駆動機構
３７  チャック装置
４０，８０  駆動スイッチ
４１，８１  スイッチ本体
４２，４３  回動孔
４２ａ，４２ｂ，４３ａ，４３ｂ  回動方向内端
４４，８４  回動トリガ
４５（４５ａ，４５ｂ），８５（８５ａ，８５ｂ）  連結用柱部
４５ｃ  回動トリガの内側端
４５ｄ  回動トリガの外側端
４７，８７，８８  操作部
４７ａ，８７ａ，８８ａ  操作部の外周面
４７ｂ  凹み部
４７ｃ  操作部の内周面
４７ｄ  内リブ
４９  素子ケース
５０  グリップ部
５０ａ  グリップ部の先端
５０ｂ  グリップ部の基端
５１  グリップハウジング
５１ａ，５１ｂ  グリップハウジング片
５１ｃ  バッテリ具収容部
５１ｄ  接続装置収容部
５２  バッテリ具
５２ａ  電池パック
５２ｂ  閉塞蓋部
５３  電気接続装置
５４  凹状部
５９  凹み部
６２ａ，６２ｂ  左開口部の一端
６３ａ，６３ｂ  右開口部の一端
８４ａ  環状基部
８５ｃ  回動トリガの内側部分
８５ｄ  回動トリガの外側部分
８７ｂ，８８ｂ  外周面のうち回動方向の縁
８７ｃ，８８ｃ  凹溝
９０  手締め用ロック機構
１００  出力軸
Ｐ１  ピストル形状態の設定形態
Ｐ２  ストレート形状態の設定形態
【図１】
0005546829.tif 000002
【図２】
0005546829.tif 000003
【図３】
0005546829.tif 000004
【図４】
0005546829.tif 000005
【図５】
0005546829.tif 000006
【図６】
0005546829.tif 000007
【図７】
0005546829.tif 000008
【図８】
0005546829.tif 000009
【図９】
0005546829.tif 000010